(57)【特許請求の範囲】
【請求項１】
被写体を照明する照明光を伝達するためのライトガイドの入射端部が操作部に配置され、上記ライトガイドに照明光を供給するための光源ランプを内蔵した照明光供給ユニットが上記操作部に着脱自在に螺合接続された簡易型内視鏡装置であって、
上記光源ランプから上記ライトガイドに入射する照明光量を調整するための照明光量調整手段が上記照明光供給ユニットに設けられると共に、上記操作部を握持する方の手の指で操作できる位置に、上記照明光量調整手段を操作するための光量調整操作部材が配置された簡易型内視鏡装置において、
上記照明光供給ユニットが上記操作部から側方に棒状に突出して配置されていて、
上記光量調整操作部材が、上記照明光供給ユニットの軸線周りに回動するように配置されたレバーであり、そのレバーが、上記照明光供給ユニットの突端側から上記照明光供給ユニットの軸線と平行方向に上記照明光供給ユニットの外面に沿って、上記操作部の近傍位置であって上記螺合接続が行われる部分の上記操作部側の部材の外周まわりに達しない位置に至る範囲に配置されていることを特徴とする簡易型内視鏡装置。
【請求項２】
上記照明光量調整手段が、上記光源ランプの発光明るさを調整するものである請求項１記載の簡易型内視鏡装置。
【請求項３】
上記照明光供給ユニットが上記操作部に対して着脱自在である請求項１又は２記載の簡易型内視鏡装置。
【請求項４】
上記光量調整操作部材が上記照明光供給ユニットに対して着脱自在である請求項１、２又は３記載の簡易型内視鏡装置。
【発明の詳細な説明】
【０００１】
【発明の属する技術分野】
この発明は、ライトガイドに照明光を供給するための光源ランプを内蔵した照明光供給ユニットが操作部に取り付けられた簡易型内視鏡装置に関する。
【０００２】
【従来の技術】
操作部に照明用の発光体を設けたいわゆる簡易型の内視鏡装置は、一般に、豆電球等からなる光源ランプとその電源となる乾電池等を内蔵した照明光供給ユニットが内視鏡の操作部に取り付けられている。
【０００３】
そしてさらに、内視鏡観察中に被写体までの距離によって大幅に変動する被写体の明るさを観察に適した明るさに調整するために、光源ランプの発光量を調整するための発光明るさ調整装置が照明光供給ユニットに設けられたものがある。
【０００４】
図６は、そのような従来の簡易型内視鏡装置を示しており、操作部８０から側方に棒状に突出して取り付けられた照明光供給ユニット９０の突端部に、光源ランプの発光明るさを調整するための明るさ調整操作環９１が設けられている。
【０００５】
【発明が解決しようとする課題】
上述のような従来の簡易型内視鏡装置においては、明るさ調整操作環９１が照明光供給ユニット９０の突端に設けられているので、操作者が操作部８０を保持した手でそれを操作をすることができず、操作部８０を保持していない方の手で操作することになる。
【０００６】
しかし、操作部８０を保持していない方の手は挿入部８１を掴んで体内への誘導操作を行う必要があるので、なかなか明るさ調整操作環９１の操作まで行うことができず、観察にとって不適切な明るさのままで観察が続行される場合が珍しくなかった。
【０００７】
そこで本発明は、操作部を持った方の手で被写体の明るさを観察に適した明るさに随時調整することができる簡易型内視鏡装置を提供することを目的とする。
【０００８】
【課題を解決するための手段】
上記の目的を達成するため、本発明の簡易型内視鏡装置は、被写体を照明する照明光を伝達するためのライトガイドの入射端部が操作部に配置され、上記ライトガイドに照明光を供給するための光源ランプを内蔵した照明光供給ユニットが上記操作部に取り付けられた簡易型内視鏡装置において、上記光源ランプから上記ライトガイドに入射する照明光量を調整するための照明光量調整手段を上記照明光供給ユニットに設けると共に、上記操作部を握持する方の手の指で操作できる位置に、上記照明光量調整手段を操作するための光量調整操作部材を配置したことを特徴とする。
【０００９】
なお、上記照明光供給ユニットが上記操作部から側方に棒状に突出して配置されており、上記光量調整操作部材が上記照明光供給ユニットの外周面に沿って上記照明光供給ユニットの軸線周りに回動するように配置されたレバーであってもよく、上記照明光量調整手段が、上記光源ランプの発光明るさを調整するものであってもよい。
【００１０】
また、上記照明光供給ユニットが上記操作部に対して着脱自在であってもよく、上記光量調整操作部材が上記照明光供給ユニットに対して着脱自在であってもよい。
【００１１】
【発明の実施の形態】
図面を参照して本発明の実施の形態を説明する。
図１は、内視鏡の操作部２部分の背面図、図２は側面図であり、操作部２の下端部には、可撓管によって外装された挿入部１の基端が連結されている。
【００１２】
操作部２の下側約４分の３の部分は握り部２ａであり、その握り部２ａと挿入部１との間に、鉗子挿入口部４が斜め前方に向けて突出して設けられている。３は、気密に構成された内視鏡の内部の圧力を調整するための圧力調整弁である。
【００１３】
操作部２の握り部２ａより上方の操作機構部５には、挿入部１内に挿通された鉗子チャンネル（図示せず）を通して吸引操作を行うための吸引操作弁６と、挿入部１の先端部分に形成された湾曲部（図示せず）を遠隔的に屈曲操作するための湾曲操作レバー７とが前面と後面に配置され、接眼部８が上面に突設されている。
【００１４】
被写体を照明する照明光を伝達するための照明用ライトガイドファイババンドル９は、入射端部が操作機構部５内に配置されていて、挿入部１内と操作部２の握り部２ａ内を通って、射出端部は挿入部１の先端に配置されている。
【００１５】
そして、ライトガイドファイババンドル９に対して照明光を供給するための照明光供給ユニット３０が、操作機構部５の側面部分に着脱自在に取り付けられている。
【００１６】
照明光供給ユニット３０は、操作部２に突設された接続環１０に対して着脱自在に螺合接続され、操作部２から側方（操作者が操作部２を保持した状態において左方）に棒状に突出している。
【００１７】
照明光供給ユニット３０には、ライトガイドファイババンドル９に供給するための照明光を放射する光源ランプ３２と、その光源ランプ３２を点灯させるための電源である電池１００等が内蔵されている。
【００１８】
光源ランプ３２としては、凸レンズ付きの豆電球が用いられている。電池１００としては、乾電池または充電可能なニッケルカドミウム電池等どのような電池を用いてもよい。
【００１９】
電池１００は、照明光供給ユニット３０の端部に着脱自在に取り付けられたキャップ部５０を外すことにより交換自在であり、電池１００に代えて、交流／直流アダプタ等を接続することもできる。
【００２０】
図３は照明光供給ユニット３０を示しており、電池１００が収容されている中間部分（電池室）は図示を省略し、操作部寄りの先側は輪郭線により略示し、キャップ部５０側は断面を詳細に図示してある。
【００２１】
光源ランプ３２の第１電極３２ａは、電池１００の正極と電気的に常に導通された状態になっている。また、電池室の外側ケース３３は耐蝕性の良い材料で形成され、内側ケース３４は良導電性の金属によって形成されている。
【００２２】
キャップ部５０には、光源ランプ３２を点灯及び消灯させるために、電池１００と光源ランプ３２との間の通電をオン、オフさせるための回転スイッチが組み込まれている。
【００２３】
５３は、耐蝕性の良い材料からなる外側筒体であり、キャップ部５０の外壁を形成している。そしてその内側には、電池室の内側ケース３４に対して着脱自在に螺合される良導電性の金属からなる内側筒体５４が内接して配置され、外側筒体５３と内側筒体５４とが螺合、接着により一体化されている。５５はシール用のＯリングである。
【００２４】
そして、外側筒体５３と電池室側の外側ケース３３の端部外周面との嵌合部には、シール用のＯリング５６が装着されていて、そこから内部に水が入らないようになっている。
【００２５】
内側筒体５４の他端側には、外側筒体５３の内側に、良導電性金属からなるキャップ部本体５７が螺合接着されて一体的に連結されている。そのキャップ部本体５７の内端面には、電気絶縁性の基板５８上に電気抵抗接片５９が取り付けられており、キャップ部本体５７と電気抵抗接片５９とは固定ビス６０を介して電気的に導通している。
【００２６】
その結果、電気抵抗接片５９は、固定ビス６０、キャップ部本体５７、内側筒体５４及び内側ケース３４等を介して、光源ランプ３２の第２電極３２ｂに電気的に常時導通している。なお電気抵抗接片５９は、図４に示されるように、照明光供給ユニット３０の軸線を中心とする円弧状に形成配置されている。
【００２７】
外側筒体５３の突端部の中心位置には、回転軸体６１が軸線回りに回転自在に嵌合配置されており、その回転軸体６１の外端側には、光量調整操作レバー６２が螺合接着により一体的に連結されている。ただし、光量調整操作レバー６２を回転軸体６１に対して着脱自在に構成してもよい。６３はシール用のＯリング、６４は飾り蓋である。
【００２８】
光量調整操作レバー６２は照明光供給ユニット３０の軸線回りに回転自在であるが、Ｏリング６３等によって摺動抵抗が加わっているので、任意の位置で静止させることができる。
【００２９】
光量調整操作レバー６２の回転範囲は、その内面に突設されたストッパ６６とキャップ部本体５７及び外側筒体５３に対してビス止め固定されたストッパ６７との当接によって、例えば図２にＡで示される所定範囲に規制されている。
【００３０】
また、図３に示されるように、光量調整操作レバー６２の回転部に装着されたＯリング６３の方が外側筒体５３の回転部に装着されたＯリング５６よりリング径が小さくて、回転運動に対して作用する抵抗が小さいので、光量調整操作レバー６２を所定範囲内で回転操作する際には、外側筒体５３、内側筒体５４及びキャップ部本体５７などは回転しない。
【００３１】
回転軸体６１の内端側には、電気絶縁性の絶縁軸体６９が一体的に接合されている。そして、絶縁軸体６９から側方に突設された良導電性のブラシ台７２に良導電性のブラシ７１が固定されていて、基板５７に対向している。
【００３２】
その結果、ストッパ６６，６７により規制された所定範囲で光量調整操作レバー６２を回転させると、それと共に導電ブラシ７１が照明光供給ユニット３０の軸線回りに回動して、電気抵抗接片５９に接触するオン状態と電気抵抗接片５９から離れるオフ状態とが得られる。
【００３３】
絶縁軸体６９の内側端部には、圧縮コイルバネ７４によって付勢された可動接点７３が、電池１００の負極に押し付けられている。７５は、圧縮コイルバネと可動接点７３との間に介装された押し棒、７６は電気絶縁体である。
【００３４】
そして、可動接点７３の外周面には、基部がブラシ台７２に固定されたバネ性のある導電接片７７が弾力的に押し付けられている。その結果、導電ブラシ７１は、ブラシ台７２、導電接片７７及び可動接点７３等を介して、電池１００の負極と電気的に常時導通している。
【００３５】
図４と図５は、光量調整操作レバー６２を回転操作したときの、回転範囲の両端位置における導電ブラシ７１と電気抵抗接片５９との位置関係を示している。図４に示される状態では、導電ブラシ７１と電気抵抗接片５９とが離れているので、電池１００の負極と光源ランプ３２の第２電極３２ｂとの間がそこで遮断されていて、スイッチオフ状態であり、光源ランプ３２が消灯している。
【００３６】
図５に示される状態では、導電ブラシ７１が固定ビス６０の近傍において電気抵抗接片５９に接触しているので、電池１００の負極と光源ランプ３２の第２電極３２ｂとの間が殆ど電圧降下なく導通してスイッチオンの状態になっており、光源ランプ３２が最も明るい状態に点灯している。
【００３７】
また、導電ブラシ７１が電気抵抗接片５９の中間位置に接触する状態で光量調整操作レバー６２を静止させることにより、電気抵抗接片５９における電圧降下によって光源ランプ３２の発光明るさを任意に調整することができ、それによってライトガイドファイババンドル９に入射する照明光量が任意に調整される。
【００３８】
したがって、導電ブラシ７１と電気抵抗接片５９等は、光源ランプ３２からライトガイドファイババンドル９に入射する照明光量を調整するための照明光量調整手段である。
【００３９】
光量調整操作レバー６２は、照明光供給ユニット３０の突端側から照明光供給ユニット３０の外周面に沿って操作部２の近傍に至る細長い形状に形成されており、図２に示されるように、操作部２の背面側の位置において照明光供給ユニット３０の軸線周りに回動する。
【００４０】
したがって、図１に示されるように、操作部２を握持する操作者の左手の親指を操作部２の背面から少し照明光供給ユニット３０側にずらすだけで光量調整操作レバー６２の操作を行うことができ、内視鏡検査を行いながら、操作部２を保持する方の手で被写体の明るさを観察に適した明るさに随時調整することができる。
【００４１】
なお、本発明は上記実施の形態に限定されるものではなく、例えば光量調整操作レバー６２は操作部２を握持する操作者の手の指で操作できる範囲に設ければどのようなものでもよく、また、ライトガイドファイババンドル９に入射する照明光量の調整は、例えば遮光フィルターの偏位その他、光源ランプ３２の発光量調整以外の手段によってもよい。
【００４２】
【発明の効果】
本発明によれば、光源ランプからライトガイドに入射する照明光量を調整するための照明光量調整手段を照明光供給ユニットに設けると共に、操作部を握持する方の手の指で操作できる位置に、照明光量調整手段を操作するための光量調整操作部材を配置したことにより、操作者が操作部を持った方の手で被写体の明るさを観察に適した明るさに随時調整することができる。
【図面の簡単な説明】
【図１】本発明の実施の形態の簡易型内視鏡装置の背面図である。
【図２】本発明の実施の形態の簡易型内視鏡装置の側面図である。
【図３】本発明の実施の形態の照明光供給ユニットを一部を省略して示す背面断面図である。
【図４】本発明の実施の形態のオフ状態のスイッチ部分の正面図である。
【図５】本発明の実施の形態のオン状態のスイッチ部分の正面図である。
【図６】従来の簡易型内視鏡装置の背面図である。
【符号の説明】
２  操作部
９  ライトガイドファイババンドル
３０  照明光供給ユニット
３２  光源ランプ
５９  電気抵抗接片
６２  光量調整操作レバー
７１  導電ブラシ
【図１】
0004297455.tif 000002
【図２】
0004297455.tif 000003
【図３】
0004297455.tif 000004
【図４】
0004297455.tif 000005
【図５】
0004297455.tif 000006
【図６】
0004297455.tif 000007